【手続補正書】
【提出日】令和3年9月27日(2021.9.27)
【手続補正１】
【補正対象書類名】特許請求の範囲
【補正対象項目名】全文
【補正方法】変更
【補正の内容】
【特許請求の範囲】
【請求項１】
送信または受信のうちの少なくとも１つに関して、無線周波数（ＲＦ）モードで作動するＲＦコイル要素と、
直流（ＤＣ）モードで作動する１つ以上のシムコイル要素を有する別個のシムコイルアレイであって、直流電流が前記シムコイル要素内を流れて、Ｂ０シミング、ＭＲＩ空間的符号化、またはＭＲＩ時間的符号化のうちの少なくとも１つのための局所Ｂ０磁場を生成する、前記別個のシムコイルアレイと
を含み、
前記ＲＦコイル要素及び前記別個のシムコイルアレイは、少なくとも部分的に互いに重複し、
前記別個のシムコイルアレイは、前記ＲＦコイル要素から前記別個のシムコイルアレイを減結合するための少なくとも１つのＲＦ遮断要素を含む、
コイルアレイシステムと；
対象物体を保持するＭＲＩスキャナの磁石ボアであって、前記ＲＦコイル要素及び前記別個のシムコイルアレイは、前記対象物体の周りに配置される、前記ＭＲＩスキャナの磁石ボアと；
前記シムコイルアレイと通信し、前記シムコイルアレイの前記シムコイル要素に直流電流を供給するＤＣ電源と；
前記シムコイルアレイと通信し、前記シムコイル要素に前記直流電流を供給するように前記ＤＣ電源に指示するように構成されたシムコイル回路と；
前記ＲＦコイル要素と通信し、ＲＦ受信では前記物体から磁気共鳴（ＭＲ）信号を受信するように、またはＲＦ送信では前記物体へＲＦパルスを送信するように構成された、ＲＦ回路と
を備える、磁気共鳴撮像（ＭＲＩ）システム。
【請求項２】
前記ＲＦコイル要素は、ＲＦコイルアレイ内の複数のＲＦコイル要素のうちの１つであり、
前記シムコイル要素のうちのＮ個は、前記ＲＦコイルアレイ内の前記複数のＲＦコイル要素のうちの１つに対応付けられる、
請求項１に記載のシステム。
【請求項３】
前記別個のシムコイルアレイは、少なくとも１対のＤＣワイヤを備え、
前記１対のＤＣワイヤのうちの少なくとも１つは、ＲＦ遮断要素を含む、
請求項２に記載のシステム。
【請求項４】
前記１対のＤＣワイヤのうちの前記少なくとも１つにおける前記ＲＦ遮断要素は、直流または１ＭＨｚ以下の周波数の電流のうちの少なくとも１つを通すように構成される、請求項３に記載のシステム。
【請求項５】
前記１対のＤＣワイヤのうちの前記少なくとも１つを結合する少なくとも１つのコンデンサをさらに備える、請求項３に記載のシステム。
【請求項６】
前記１対のＤＣワイヤのうちの前記少なくとも１つを結合する前記少なくとも１つのコンデンサは、１００ｐＦ未満のキャパシタンスを有する、請求項５に記載のシステム。
【請求項７】
それぞれの前記Ｎ個のシムコイル要素のうちの１つは、前記シムループの周波数応答を前記ＭＲシステムのラーモア周波数付近で分割させるように構成された離調トラップを備える、請求項２に記載のシステム。
【請求項８】
前記Ｎ個のシムコイル要素のうちの少なくとも２つは、１対のＤＣ遮断コンデンサを介して連続的に接続される、請求項２に記載のシステム。
【請求項９】
前記ＤＣ電源は、前記シム回路により制御されるＮチャネル回路を含み、前記Ｎチャネル回路のそれぞれは、前記Ｎ個のシムコイル要素のうちの１つに対応し、
前記シム回路は、前記Ｎ個のシムコイル要素のそれぞれにおける直流電流の個別調整を可能とする、
請求項２に記載のシステム。
【請求項１０】
前記コイルアレイシステムは、前記ＲＦコイルアレイの個別に作動可能な別々のＲＦコイル要素と、前記別個のシムコイルアレイとの、複数の密接に積み重ねられた層を含む、請求項２に記載のシステム。
【請求項１１】
前記ＲＦ遮断要素は、前記磁気共鳴撮像システムのラーモア周波数の約85％から、前記磁気共鳴撮像システムのラーモア周波数の約115％の間の共鳴周波数を有する回路を備える、請求項１に記載のシステム。
【請求項１２】
前記少なくとも１つのＲＦ遮断要素は、インダクタ若しくはコンデンサ、またはインダクタ及びコンデンサの両方を含む回路を備える、請求項１に記載のシステム。
【請求項１３】
前記少なくとも１つのＲＦ遮断要素は、インダクタンス若しくはキャパシタンス、またはインダクタンスおよびキャパシタンスの両方を有する回路を備える、請求項１に記載のシステム。
【請求項１４】
前記シムコイル要素のうちの少なくとも１つはマルチターンループである、請求項１に記載のシステム。
【請求項１５】
前記シムコイル要素若しくは前記ＲＦコイル要素、または前記シムコイル要素及び前記ＲＦ遮断要素の形状は、閉曲線、多角形、円形、正方形、長方形、菱形、または三角形のうちの１つである、請求項１に記載のシステム。
【請求項１６】
前記コイルアレイシステムは、頭部コイル、頭部頸部脊椎コイル、心臓コイル、身体コイル、胴部コイル、胸部コイル、筋骨格コイル、膝コイル、足／足首コイル、頸動脈コイル、手首コイル、及び頸部／胸部／腰部コイルのうちの１つである、請求項１に記載のシステム。
【請求項１７】
前記シム回路は、Ｂ０シミング、組織スピンのＭＲＩ空間的符号化、または組織スピンのＭＲＩ時間的符号化のうちの前記少なくとも１つのために生成された前記局所Ｂ０磁場に対応付けられたＢ０マップを生成するように構成される、請求項１に記載のシステム。
【請求項１８】
前記シム回路は、ＭＲスキャナと通信し、
前記シムコイルアレイ内の前記１つ以上のシムコイル要素は、前記ＤＣ電源からの直流電流用に少なくとも１つのループを備え、
前記少なくとも１つのループは、少なくとも１つのインダクタ若しくは少なくとも１つのコンデンサ、または、少なくとも１つのインダクタ及び少なくとも１つのコンデンサを含む、
請求項１に記載のシステム。
【請求項１９】
前記シム回路は、ＭＲスキャナと通信し、
前記シムコイルアレイ内の前記１つ以上のシムコイル要素は、前記ＤＣ電源からの直流電流用に少なくとも１つのループを備え、
前記少なくとも１つのループは、インダクタンス若しくはキャパシタンス、またはインダクタンスおよびキャパシタンスの両方を有する回路を含む、
請求項１に記載のシステム。
【請求項２０】
前記ＲＦコイル要素は、ＲＦ信号を送信または受信するように構成され、
前記シムコイルアレイの前記シムコイル要素は、個別に作動して、Ｂ０シミング、組織スピンのＭＲＩ空間的符号化、または組織スピンのＭＲＩ時間的符号化のうちの前記少なくとも１つのための前記局所Ｂ０磁場を同時に生成するように構成される、
請求項１に記載のシステム。
【請求項２１】
前記ＲＦコイル要素の少なくとも一部と前記別個のシムコイルアレイの少なくとも一部とが物理的に接触するように、前記ＲＦコイル要素と前記別個のシムコイルアレイとの距離はほぼゼロである、または、前記ＲＦコイル要素と前記別個のシムコイルアレイとの距離は、約０ミリメートル〜約１００ミリメートルである、請求項１に記載のシステム。
【請求項２２】
前記ＲＦコイル要素及び前記別個のシムコイルアレイは、前記システムの機械的保持構造の同じ層に配置される、請求項１に記載のシステム。
【請求項２３】
前記別個のシムコイルアレイと前記ＲＦコイル要素との相互インダクタンスが最小限に抑えられるように、前記ＲＦコイル要素は、前記別個のシムコイルアレイから減結合される、または、前記ＲＦコイル要素は、前記別個のシムコイルアレイから減結合される、請求項１に記載のシステム。
【請求項２４】
前記別個のシムコイルアレイの前記少なくとも１つのＲＦ遮断要素は、１つ以上のＲＦチョークを含み、前記１つ以上のシムコイル要素のそれぞれは、前記１つ以上のＲＦチョークのうち１つを含む、請求項１に記載のシステム。
【請求項２５】
前記別個のシムコイルアレイ内の１つ以上のシムループ要素のサイズは、前記対象物体の対象解剖構造のサイズに合致させられる、請求項１に記載のシステム。
【請求項２６】
前記対象解剖構造は、不均一な磁場を有し、前記対象解剖構造は、前頭前皮質、側頭葉、脊髄、前記対象物体内の金属製インプラント、心臓、胸部、腹部領域、または前記対象物体内の任意の他の微細な解剖構造である、請求項１に記載のシステム。
【請求項２７】
磁気共鳴（ＭＲ）システムのシミング方法であって、
シムコイル要素を有する少なくとも１つのシムコイルアレイを提供することであって、前記コイル要素は、少なくとも１つのループを備える直流（ＤＣ）電流経路を伴う関連回路を有する、前記シムコイル要素を有する前記少なくとも１つのシムコイルアレイを提供することと、
無線周波数（ＲＦ）コイル要素をＲＦ送信モードまたはＲＦ受信モードのうちの少なくとも１つで作動させることであって、前記ＲＦコイル要素の少なくとも一部と別個のシムコイルアレイとは互いに重複する、前記ＲＦコイル要素を前記ＲＦ送信モードまたは前記ＲＦ受信モードのうちの少なくとも１つで作動させることと、
前記ＲＦコイル要素の前記送信モードまたは前記受信モードと同時に、前記シムコイルアレイの前記シムコイル要素の前記ＤＣ電流経路を通して、直流電流を流すことと、
前記シムコイル要素の前記ＤＣ電流経路を通る前記直流電流の前記流れに応じて、局所Ｂ０磁場を生成することであって、それにより、前記生成された局所Ｂ０磁場を使用して、前記ＭＲシステムの磁石の撮像空間のＢ０シミング、組織スピンのＭＲＩ空間的符号化、または組織スピンのＭＲＩ時間的符号化のうちの少なくとも１つが行われる、前記局所Ｂ０磁場を生成することと
を含む、前記方法。
【請求項２８】
送信または受信のうちの少なくとも１つに関して、無線周波数（ＲＦ）モードで作動するＲＦコイル要素と、
直流（ＤＣ）モードで作動する１つ以上のシムコイル要素を有する別個のシムコイルアレイであって、直流電流が前記シムコイル要素内を流れて、Ｂ０シミング、ＭＲＩ空間的符号化、またはＭＲＩ時間的符号化のうちの少なくとも１つのための局所Ｂ０磁場を生成する、前記別個のシムコイルアレイと
を含み、
前記ＲＦコイル要素及び前記別個のシムコイルアレイは少なくとも部分的に互いに重複し、前記別個のシムコイルアレイは、前記ＲＦコイル要素から前記別個のシムコイルアレイを減結合するための少なくとも１つのＲＦ遮断要素を含み、
（ｉ）前記ＲＦコイル要素と前記別個のシムコイルアレイとの距離が約０ミリメートル〜約１０ミリメートルとなるように、（ｉｉ）前記ＲＦコイル要素及び前記別個のシムコイルアレイが、前記システムの機械的保持構造の同じ層に配置されるように、または（ｉｉｉ）（ｉ）及び（ｉｉ）の両方となるように、前記ＲＦコイル要素と前記別個のシムコイルアレイとの距離は、最小限に抑えられ、
前記ＲＦコイル要素は、ＲＦシールドなしで前記別個のシムコイルアレイから減結合される、
コイルアレイシステムと；
前記ＲＦコイル要素及び前記別個のシムコイルアレイが、対象物体の周りに配置される、該対象物体を保持するＭＲＩスキャナの磁石ボアと；
前記シムコイルアレイと通信し、前記シムコイルアレイの前記シムコイル要素に直流電流を供給するＤＣ電源と；
前記シムコイルアレイと通信し、前記シムコイル要素に前記直流電流を供給するように前記ＤＣ電源に指示するように構成されたシムコイル回路と；
前記ＲＦコイル要素と通信し、ＲＦ受信では前記物体から磁気共鳴信号を受信するように、またはＲＦ送信では前記物体へＲＦパルスを送信するように構成された、ＲＦ回路と
を備える、磁気共鳴撮像（ＭＲＩ）システム。
【手続補正２】
【補正対象書類名】明細書
【補正対象項目名】００１６
【補正方法】変更
【補正の内容】
【００１６】
[本発明1001]
送信または受信のうちの少なくとも1つに関して、ＲＦモードで作動するＲＦコイル要素と、
直流（ＤＣ）モードで作動する1つ以上のシムコイル要素を有する別個のシムコイルアレイであって、ＤＣ電流が前記シムコイル要素内を流れて、Ｂ0シミング、ＭＲＩ空間的符号化、またはＭＲＩ時間的符号化のうちの少なくとも1つのための局所Ｂ0磁場を生成する、前記別個のシムコイルアレイと
を含み、
前記ＲＦコイル要素及び前記別個のシムコイルアレイは、少なくとも部分的に互いに重複し、
前記別個のシムコイルアレイは、前記ＲＦコイル要素から前記別個のシムコイルアレイを減結合するための少なくとも1つのＲＦ遮断要素を含む、
コイルアレイシステムと；
対象物体を保持するＭＲＩスキャナの磁石ボアであって、前記ＲＦコイル要素及び前記別個のシムコイルアレイは、前記対象物体の周りに配置される、前記ＭＲＩスキャナの磁石ボアと；
前記シムコイルアレイと通信し、前記シムコイルアレイの前記シムコイル要素にＤＣ電流を供給するＤＣ電源と；
前記シムコイルアレイと通信し、前記シムコイル要素に前記ＤＣ電流を供給するように前記ＤＣ電源に指示するように構成されたシムコイル回路と；
前記ＲＦコイル要素と通信し、ＲＦ受信では前記物体からＭＲ信号を受信するように、またはＲＦ送信では前記物体へＲＦパルスを送信するように構成された、ＲＦ回路と
を備える、磁気共鳴撮像（ＭＲＩ）システム。
[本発明1002]
前記ＲＦコイル要素は、ＲＦコイルアレイ内の複数のＲＦコイル要素のうちの1つであり、
前記シムコイル要素のうちのＮ個は、前記ＲＦコイルアレイ内の前記複数のＲＦコイル要素のうちの1つに対応付けられる、
本発明1001のシステム。
[本発明1003]
前記別個のシムコイルアレイは、少なくとも1対のＤＣワイヤを備え、
前記1対のＤＣワイヤのうちの少なくとも1つは、ＲＦ遮断要素を含む、
本発明1002のシステム。
[本発明1004]
前記1対のＤＣワイヤのうちの前記少なくとも1つにおける前記ＲＦ遮断要素は、直流または1ＭＨｚ以下の周波数の電流のうちの少なくとも1つを通すように構成される、本発明1003のシステム。
[本発明1005]
前記1対のＤＣワイヤのうちの前記少なくとも1つを結合する少なくとも1つのコンデンサをさらに備える、本発明1003のシステム。
[本発明1006]
前記1対のＤＣワイヤのうちの前記少なくとも1つを結合する前記少なくとも1つのコンデンサは、100ｐＦ未満のキャパシタンスを有する、本発明1005のシステム。
[本発明1007]
前記1対のＤＣワイヤのうちの前記少なくとも1つを結合する前記少なくとも1つのコンデンサは、11ｐＦ未満のキャパシタンスを有する、本発明1005のシステム。
[本発明1008]
前記遮断要素は、前記ＭＲＩシステムのラーモア周波数とほぼ等しい共鳴周波数を有する回路を備える、本発明1001のシステム。
[本発明1009]
前記回路は、インダクタ及びコンデンサのうちの少なくとも1つを備える、本発明1008のシステム。
[本発明1010]
前記回路は、コンデンサと並列のインダクタを備える、本発明1008のシステム。
[本発明1011]
前記回路は、100ｎＨを超えるインダクタンスを有するインダクタを備える、本発明1005のシステム。
[本発明1012]
前記シムコイル要素のうちの少なくとも1つはマルチターンループである、本発明1001のシステム。
[本発明1013]
それぞれの前記Ｎ個のシムコイル要素のうちの1つは、前記シムループの周波数応答を前記ＭＲシステムのラーモア周波数付近で分割させるように構成された離調トラップを備える、本発明1002のシステム。
[本発明1014]
前記Ｎ個のシムコイル要素のうちの少なくとも2つは、1対のＤＣ遮断コンデンサを介して連続的に接続される、本発明1002のシステム。
[本発明1015]
前記ＤＣ電源は、前記シム回路により制御されるＮチャネル回路を含み、前記Ｎチャネル回路のそれぞれは、前記Ｎ個のシムコイル要素のうちの1つに対応し、
前記シム回路は、前記Ｎ個のシムコイル要素のそれぞれにおけるＤＣ電流の個別調整を可能とする、
本発明1002のシステム。
[本発明1016]
前記ＲＦコイルアレイは、受信専用ＲＦコイルアレイ、送信専用ＲＦコイルアレイ、または送信／受信ＲＦコイルアレイのうちの1つである、本発明1002のシステム。
[本発明1017]
前記シムコイル要素の形状は、閉曲線、多角形、円形、正方形、長方形、菱形、または三角形のうちの1つである、本発明1001のシステム。
[本発明1018]
前記ＲＦコイル要素の形状は、閉曲線、多角形、円形、正方形、長方形、菱形、または三角形のうちの1つである、本発明1001のシステム。
[本発明1019]
前記コイルアレイシステムは、頭部コイル、頭部頸部脊椎コイル、心臓コイル、身体コイル、胴部コイル、胸部コイル、筋骨格コイル、膝コイル、足／足首コイル、頸動脈コイル、手首コイル、及び頸部／胸部／腰部コイルのうちの1つである、本発明1001のシステム。
[本発明1020]
前記ＭＲＩシステムは、非組織材料を撮像する、本発明1001のシステム。
[本発明1021]
前記ＭＲＩスキャナは、人間スキャナ、動物スキャナ、材料ＭＲシステム、またはＭＲスペクトロメータのうちの1つである、本発明1001のシステム。
[本発明1022]
前記コイルアレイシステムは、前記ＲＦコイルアレイの個別に作動可能な別々のＲＦコイル要素と、前記別個のシムコイルアレイとの、複数の密接に積み重ねられた層を含む、本発明1002のシステム。
[本発明1023]
前記シム回路は、Ｂ0シミング、組織スピンのＭＲＩ空間的符号化、または組織スピンのＭＲＩ時間的符号化のうちの前記少なくとも1つのために生成された前記局所Ｂ0磁場に対応付けられたＢ0マップを生成するように構成される、本発明1001のシステム。
[本発明1024]
前記シム回路は、前記シムコイルアレイの前記コイル要素内のＤＣ電流を制御して、前記生成された局所Ｂ0磁場を測定するように構成される、本発明1001のシステム。
[本発明1025]
前記シム回路は、ＭＲスキャナと通信し、
前記シムコイルアレイ内の前記シムコイル要素は、前記ＤＣ電源からのＤＣ電流用に少なくとも1つのループを備え、
前記少なくとも1つのループはインダクタを含む、
本発明1001のシステム。
[本発明1026]
前記ＲＦコイル要素は、単一の送受信ＲＦコイル要素であり、
前記ＲＦ回路は、ＭＲスキャナと通信して、前記ＲＦコイルアレイに送受信を行わせ、一方前記シムコイルアレイには、前記シムコイルアレイから生成された前記局所Ｂ0磁場を使用して主磁場Ｂ0不均一性のシミングを行わせる、
本発明1001のシステム。
[本発明1027]
前記ＲＦコイル要素は、ＲＦ信号を送信または受信するように構成され、
前記シムコイルアレイの前記シムコイル要素は、個別に作動して、Ｂ0シミング、組織スピンのＭＲＩ空間的符号化、または組織スピンのＭＲＩ時間的符号化のうちの前記少なくとも1つのための前記局所Ｂ0磁場を同時に生成するように構成される、
本発明1001のシステム。
[本発明1028]
前記シムコイルアレイは、前記局所Ｂ0磁場を生成して、前記対象物体全体に均一な磁場を提供するように構成される、本発明1001のシステム。
[本発明1029]
前記ＲＦコイル要素と前記別個のシムコイルアレイとの距離は最小限に抑えられる、本発明1001のシステム。
[本発明1030]
前記ＲＦコイル要素の少なくとも一部と前記別個のシムコイルアレイの少なくとも一部とが物理的に接触するように、前記ＲＦコイル要素と前記別個のシムコイルアレイとの前記距離はほぼゼロである、本発明1029のシステム。
[本発明1031]
前記ＲＦコイル要素と前記別個のシムコイルアレイとの前記距離は、約0ミリメートル〜約10ミリメートルである、本発明1029のシステム。
[本発明1032]
前記ＲＦコイル要素及び前記別個のシムコイルアレイは、前記システムの機械的保持構造の同じ層に配置される、本発明1029のシステム。
[本発明1033]
前記別個のシムコイルアレイと前記ＲＦコイル要素との相互インダクタンスが最小限に抑えられるように、前記ＲＦコイル要素は、前記別個のシムコイルアレイから減結合される、本発明1001のシステム。
[本発明1034]
前記ＲＦコイル要素は、ＲＦシールドなしで前記別個のシムコイルアレイから減結合される、本発明1001のシステム。
[本発明1035]
前記別個のシムコイルアレイ内の1つ以上のシムループ要素のサイズは、前記対象物体の対象解剖構造のサイズに合致させられる、本発明1001のシステム。
[本発明1036]
前記対象解剖構造は、不均一な磁場を有する、本発明1035のシステム。
[本発明1037]
前記対象解剖構造は、前頭前皮質、側頭葉、脊髄、前記対象物体内の金属製インプラント、心臓、胸部、腹部領域、または前記対象物体内の任意の他の微細な解剖構造である、本発明1036のシステム。
[本発明1038]
前記別個のシムコイルアレイは、1つ以上のシムコイル要素を含み、
前記1つ以上のシムコイル要素のそれぞれと、前記対象物体の前記対象解剖構造との距離は、最小限に抑えられる、本発明1035のシステム。
[本発明1039]
磁気共鳴（ＭＲ）システムのシミング方法であって、
シムコイル要素を有する少なくとも1つのシムコイルアレイを提供することであって、前記コイル要素は、少なくとも1つのループを備える直流（ＤＣ）電流経路を伴う関連回路を有する、前記シムコイル要素を有する前記少なくとも1つのシムコイルアレイを提供することと、
ＲＦコイル要素をＲＦ送信モードまたはＲＦ受信モードのうちの少なくとも1つで作動させることであって、前記ＲＦコイル要素の少なくとも一部と別個のシムコイルアレイとは互いに重複する、前記ＲＦコイル要素を前記ＲＦ送信モードまたは前記ＲＦ受信モードのうちの少なくとも1つで作動させることと、
前記ＲＦコイル要素の前記送信モードまたは前記受信モードと同時に、前記シムコイルアレイの前記シムコイル要素の前記ＤＣ電流経路を通して、ＤＣ電流を流すことと、
前記シムコイル要素の前記ＤＣ電流経路を通る前記ＤＣ電流の前記流れに応じて、局所Ｂ0磁場を生成することであって、それにより、前記生成された局所Ｂ0磁場を使用して、前記ＭＲシステムの磁石の撮像空間のＢ0シミング、組織スピンのＭＲＩ空間的符号化、または組織スピンのＭＲＩ時間的符号化のうちの少なくとも1つが行われる、前記局所Ｂ0磁場を生成することと
を含む、前記方法。
[本発明1040]
前記複数のシムコイル要素とそれぞれの前記ＲＦコイル要素との前記相互インダクタンスは、最小限に抑えられる、本発明1039の方法。
[本発明1041]
前記ＲＦコイル要素と前記別個のシムコイルアレイとの距離は最小限に抑えられる、本発明1039の方法。
[本発明1042]
前記ＲＦコイル要素の少なくとも一部と前記別個のシムコイルアレイの少なくとも一部とが物理的に接触するように、前記ＲＦコイル要素と前記別個のシムコイルアレイとの前記距離はほぼゼロである、本発明1040の方法。
[本発明1043]
前記ＲＦコイル要素と前記別個のシムコイルアレイとの前記距離は、約0ミリメートル〜約10ミリメートルである、本発明1040の方法。
[本発明1044]
前記ＲＦコイル要素及び前記別個のシムコイルアレイは、前記システムの機械的保持構造の同じ層に配置される、本発明1040の方法。
[本発明1045]
送信または受信のうちの少なくとも1つに関して、ＲＦモードで作動するＲＦコイル要素と、
直流（ＤＣ）モードで作動する1つ以上のシムコイル要素を有する別個のシムコイルアレイであって、ＤＣ電流が前記シムコイル要素内を流れて、Ｂ0シミング、ＭＲＩ空間的符号化、またはＭＲＩ時間的符号化のうちの少なくとも1つのための局所Ｂ0磁場を生成する、前記別個のシムコイルアレイと
を含み、
前記ＲＦコイル要素及び前記別個のシムコイルアレイは少なくとも部分的に互いに重複し、前記別個のシムコイルアレイは、前記ＲＦコイル要素から前記別個のシムコイルアレイを減結合するための少なくとも1つのＲＦ遮断要素を含み、
（ｉ）前記ＲＦコイル要素と前記別個のシムコイルアレイとの距離が約0ミリメートル〜約10ミリメートルとなるように、（ｉｉ）前記ＲＦコイル要素及び前記別個のシムコイルアレイが、前記システムの機械的保持構造の同じ層に配置されるように、または（ｉｉｉ）（ｉ）及び（ｉｉ）の両方となるように、前記ＲＦコイル要素と前記別個のシムコイルアレイとの距離は、最小限に抑えられ、
前記ＲＦコイル要素は、ＲＦシールドなしで前記別個のシムコイルアレイから減結合される、
コイルアレイシステムと；
前記ＲＦコイル要素及び前記別個のシムコイルアレイが、対象物体の周りに配置される、該対象物体を保持するＭＲＩスキャナの磁石ボアと；
前記シムコイルアレイと通信し、前記シムコイルアレイの前記シムコイル要素にＤＣ電流を供給するＤＣ電源と；
前記シムコイルアレイと通信し、前記シムコイル要素に前記ＤＣ電流を供給するように前記ＤＣ電源に指示するように構成されたシムコイル回路と；
前記ＲＦコイル要素と通信し、ＲＦ受信では前記物体からＭＲ信号を受信するように、またはＲＦ送信では前記物体へＲＦパルスを送信するように構成された、ＲＦ回路と
を備える、磁気共鳴撮像（ＭＲＩ）システム。
本発明の追加態様は、図面を参照して行われる様々な実施形態の詳細な説明を考慮すれば、当業者には明らかであり、図面の簡単な説明が下記に提供される。